(57)【要約】【課題】外部インターフェイスを利用して外部機器と接続されている状態において、着信したことを確実に気付かせることができる電子機器、制御方法及びプログラムを提供すること。【解決手段】外部機器に接続される外部インターフェイス１４と、報知部２２と、外部インターフェイス１４が外部機器に接続されている状態において、着信があると、外部機器に備えられている音出力部から出力される音の音量を抑制し、当該着信に係る報知を報知部２２により行うように制御する制御部２３を備える。【選択図】図３
2014090263.tif 000002
【特許請求の範囲】
【請求項１】
外部機器に接続される接続部と、
報知部と、
前記接続部が前記外部機器に接続されている状態において、着信があると、前記外部機器に備えられている音出力部から出力される音の音量を抑制し、前記着信に係る報知を前記報知部により行うように制御する制御部を備える電子機器。
【請求項２】
前記制御部は、前記音出力部から出力される音の音量を取得し、当該音量が所定の閾値以上の場合には、前記音出力部から出力される音の音量を抑制するように制御する請求項１記載の電子機器。
【請求項３】
集音部を備え、
前記制御部は、前記集音部を用いて集音した音の音量が所定の閾値以上の場合には、前記音出力部から出力される音の音量を抑制するように制御する請求項１記載の電子機器。
【請求項４】
前記制御部は、前記着信に応じて通話が行われ、当該通話が終了した場合には、抑制していた音量を元の音量に戻すように制御する請求項１乃至３のいずれか一項に記載の電子機器。
【請求項５】
外部機器に接続される接続部と、
報知部と、
前記接続部が前記外部機器に接続されている状態において、着信があると、前記外部機器に備えられている音出力部から出力される音に係る音情報を取得し、当該音情報に基づいて前記音出力部から出力される音の音量が所定の閾値以下になる部分をサーチし、前記着信に係る報知を当該部分で前記報知部により行うように制御する制御部を備える電子機器。
【請求項６】
集音部を備え、
前記制御部は、前記集音部を用いて前記音情報を取得する請求項５記載の電子機器。
【請求項７】
前記制御部は、前記接続部が前記外部機器に接続されている状態において、着信があると、前記外部機器において受信した放送波に含まれている音情報を前記接続部を介して取得し、当該音情報に基づいて前記音出力部から出力される音の音量が所定の閾値以下になる部分をサーチし、前記着信に係る報知を当該部分で前記報知部により行うように制御する請求項５記載の電子機器。
【請求項８】
放送波を受信する受信部を備え、
前記制御部は、前記接続部が前記外部機器に接続されている状態において、着信があると、前記外部機器において視聴されている放送波と同一の放送波を前記受信部により受信し、受信した放送波に含まれている音情報に基づいて前記外部機器に備えられている音出力部から出力される音の音量が所定の閾値以下になる部分をサーチし、前記着信に係る報知を当該部分で前記報知部により行うように制御する請求項５記載の電子機器。
【請求項９】
接続部が外部機器に接続されている状態において、着信があると、前記外部機器に備えられている音出力部から出力される音の音量を抑制し、前記着信に係る報知を報知部により行うように制御する制御工程を備える制御方法。
【請求項１０】
接続部が外部機器に接続されている状態において、着信があると、前記外部機器に備えられている音出力部から出力される音の音量を抑制し、前記着信に係る報知を報知部により行うように制御する制御工程をコンピュータに実行させるためのプログラム。
【請求項１１】
接続部が外部機器に接続されている状態において、着信があると、前記外部機器に備えられている音出力部から出力される音情報を取得し、当該音情報に基づいて前記音出力部から出力される音の音量が所定の閾値以下になる部分をサーチし、前記着信に係る報知を当該部分で報知部により行うように制御する制御工程を備える制御方法。
【請求項１２】
接続部が外部機器に接続されている状態において、着信があると、前記外部機器に備えられている音出力部から出力される音情報を取得し、当該音情報に基づいて前記音出力部から出力される音の音量が所定の閾値以下になる部分をサーチし、前記着信に係る報知を当該部分で報知部により行うように制御する制御工程をコンピュータに実行させるためのプログラム。
【発明の詳細な説明】
【技術分野】
【０００１】
本発明は、外部機器に接続される接続部を有する電子機器と、当該電子機器を制御する制御方法及びプログラムに関する。
【背景技術】
【０００２】
携帯端末等とテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢコネクタを流用している。
【０００４】
このようにして、ＭＨＬを採用した場合、汎用コネクタであるＵＳＢコネクタを使用してテレビと接続することができるメリットがある。
【先行技術文献】
【特許文献】
【０００５】
【特許文献１】特開２０１１−０９１６９９号公報
【発明の概要】
【発明が解決しようとする課題】
【０００６】
ところで、携帯端末とテレビとをＭＨＬ規格等に準拠したインターフェイスによって接続している状態において、例えば、電話等の着信を知らせる報知（例えば、着信メロディーの再生）を行った場合、テレビのスピーカから出力されている音により気が付かない可能性がある。
【０００７】
本発明は、外部インターフェイスを利用して外部機器と接続されている状態において、着信したことを確実に気付かせることができる電子機器、制御方法及びプログラムを提供することを目的とする。
【課題を解決するための手段】
【０００８】
本発明に係る電子機器は、外部機器に接続される接続部と、報知部と、前記接続部が前記外部機器に接続されている状態において、着信があると、前記外部機器に備えられている音出力部から出力される音の音量を抑制し、前記着信に係る報知を前記報知部により行うように制御する制御部を備える構成である。
【０００９】
電子機器では、前記制御部は、前記音出力部から出力される音の音量を取得し、当該音量が所定の閾値以上の場合には、前記音出力部から出力される音の音量を抑制するように制御する構成でもよい。
【００１０】
電子機器では、集音部を備え、前記制御部は、前記集音部を用いて集音した音の音量が所定の閾値以上の場合には、前記音出力部から出力される音の音量を抑制するように制御する構成でもよい。
【００１１】
電子機器では、前記制御部は、前記着信に応じて通話が行われ、当該通話が終了した場合には、抑制していた音量を元の音量に戻すように制御する構成でもよい。
【００１２】
本発明に係る電子機器は、外部機器に接続される接続部と、報知部と、前記接続部が前記外部機器に接続されている状態において、着信があると、前記外部機器に備えられている音出力部から出力される音に係る音情報を取得し、当該音情報に基づいて前記音出力部から出力される音の音量が所定の閾値以下になる部分をサーチし、前記着信に係る報知を当該部分で前記報知部により行うように制御する制御部を備える構成である。
【００１３】
電子機器では、集音部を備え、前記制御部は、前記集音部を用いて前記音情報を取得する構成でもよい。
【００１４】
電子機器では、前記制御部は、前記接続部が前記外部機器に接続されている状態において、着信があると、前記外部機器において受信した放送波に含まれている音情報を前記接続部を介して取得し、当該音情報に基づいて前記音出力部から出力される音の音量が所定の閾値以下になる部分をサーチし、前記着信に係る報知を当該部分で前記報知部により行うように制御する構成でもよい。
【００１５】
電子機器では、放送波を受信する受信部を備え、前記制御部は、前記接続部が前記外部機器に接続されている状態において、着信があると、前記外部機器において視聴されている放送波と同一の放送波を前記受信部により受信し、受信した放送波に含まれている音情報に基づいて前記外部機器に備えられている音出力部から出力される音の音量が所定の閾値以下になる部分をサーチし、前記着信に係る報知を当該部分で前記報知部により行うように制御する構成でもよい。
【００１６】
本発明に係る制御方法は、接続部が外部機器に接続されている状態において、着信があると、前記外部機器に備えられている音出力部から出力される音の音量を抑制し、前記着信に係る報知を報知部により行うように制御する制御工程を備える構成である。
【００１７】
本発明に係るプログラムは、接続部が外部機器に接続されている状態において、着信があると、前記外部機器に備えられている音出力部から出力される音の音量を抑制し、前記着信に係る報知を報知部により行うように制御する制御工程をコンピュータに実行させるためのものである。
【００１８】
本発明に係る制御方法は、接続部が外部機器に接続されている状態において、着信があると、前記外部機器に備えられている音出力部から出力される音情報を取得し、当該音情報に基づいて前記音出力部から出力される音の音量が所定の閾値以下になる部分をサーチし、前記着信に係る報知を当該部分で報知部により行うように制御する制御工程を備える構成である。
【００１９】
本発明に係るプログラムは、接続部が外部機器に接続されている状態において、着信があると、前記外部機器に備えられている音出力部から出力される音情報を取得し、当該音情報に基づいて前記音出力部から出力される音の音量が所定の閾値以下になる部分をサーチし、前記着信に係る報知を当該部分で報知部により行うように制御する制御工程をコンピュータに実行させるためのものである。
【発明の効果】
【００２０】
本発明によれば、外部インターフェイスを利用して外部機器と接続されている状態において、着信したことを確実に気付かせることができる
【図面の簡単な説明】
【００２１】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】取得した音情報を解析し、所定の閾値以下の部分をサーチする処理についての説明に供する図である。
【図７】スマートフォンの動作についての説明に供するフローチャートである。
【発明を実施するための形態】
【００２２】
本発明を実施するための実施形態を、図面を参照しつつ詳細に説明する。以下では、電子機器の一例として、スマートフォンについて説明する。
【００２３】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００２６】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２８】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２９】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３０】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３１】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００３２】
照度センサ４は、照度を検出する。例えば、照度とは、光の強さ、明るさ、輝度等である。照度センサ４は、例えば、ディスプレイ２Ａの輝度の調整に用いられる。
【００３３】
近接センサ５は、近隣の物体の存在を非接触で検出する。近接センサ５は、例えば、タッチスクリーンディスプレイ２が顔に近付けられたことを検出する。
【００３４】
レシーバ７は、コントローラ１０から送信される音信号を音として出力する。マイク８は、利用者等の音を音信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３５】
カメラ１２は、フロントフェイス１Ａに面している物体を撮影するインカメラである。カメラ１３は、バックフェイス１Ｂに面している物体を撮影するアウトカメラである。
【００３６】
外部インターフェイス（接続部）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３７】
本実施例に係るスマートフォン１は、外部インターフェイス１４を利用して外部機器と接続されている状態において、着信したことを確実に気付かせることができる機能を有する。以下に、具体的な構成について説明する。
【００３８】
＜第１実施例＞
スマートフォン１は、図３に示すように、外部インターフェイス１４と、通信部２１と、報知部２２と、制御部２３と、を備える。
外部インターフェイス１４は、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００３９】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００４０】
通信部２１は、２Ｇ、３Ｇ、４Ｇ等のセルラーフォンの通信規格に対応している。セルラーフォンの通信規格としては、ＬＴＥ（Ｌｏｎｇ  Ｔｅｒｍ  Ｅｖｏｌｕｔｉｏｎ）（登録商標）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）（登録商標）等がある。
【００４１】
報知部２２は、着信等のイベントが発生したことを外部に報知する構成要素であって、例えば、着信音を出力するスピーカ、振動を伝えるバイブレータ、発光する発光部等が考えられる。
【００４２】
制御部２３は、外部インターフェイス１４がテレビ１０１に接続されている状態において、通信部２１により着信を受け付けたときに、テレビ１０１に備えられている音出力部１０１ａから出力される音の音量を抑制し、着信に係る報知を報知部２２により行うように制御する。音出力部１０１aとは、スピーカのことである。また、図４では、音出力部１０１ａの配置場所は、テレビ１０１正面の下方中央になっているが、これは一例であって、正面の下方中央に限定されない。
【００４３】
音の音量を抑制するとは、音を出力しないようにミュートすること、及び音量を下げること等を含む概念である。
【００４４】
よって、スマートフォン１は、外部インターフェイス１４がテレビ１０１に接続されている状態において、着信を受け付けた場合、音出力部１０１ａから出力される音が抑制されるので、報知部２２の報知を聞き逃さず、着信したことを確実にユーザに気付かせることができる。また、スマートフォン１は、着信後の通話中においても、音出力部１０１ａから出力される音が抑制され続けるので、良好に通話をすることができる。
【００４５】
なお、スマートフォン１は、外部インターフェイス１４がテレビ１０１に接続されている状態において、着信に係る報知を行う場合には、通常の報知形態とは異なる形態であってもよい。通常の着信メロディは、データ量が大きく、再生処理に時間がかかる場合がある。そのため、スマートフォン１は、外部インターフェイス１４がテレビ１０１に接続されている状態において、着信音を報知する場合には、通常の着信メロディではなく、再生処理に時間のかからない小さいデータ量からなる着信音を用いて着信を報知する構成でもよい。
【００４６】
制御部２３は、音出力部１０１ａから出力される音の音量を取得し、当該音量が所定の閾値以上の場合には、音出力部１０１ａから出力される音の音量を抑制するように制御する構成でもよい。所定の閾値とは、報知部２２による報知及び通話の妨げにならない程度の値であって、予め設定されているものである。また、所定の値は、ユーザが変更できてもよい。
【００４７】
例えば、制御部２３は、外部インターフェイス１４を介して、テレビ１０１に現在設定されているボリューム（音量）レベルを問い合わせる。制御部２３は、テレビ１０１から通知されたボリュームレベルが所定の閾値以上の場合には、音出力部１０１ａから出力される音の音量を抑制するように制御信号を送信する。テレビ１０１は、スマートフォン１から送信されてきた制御信号に基づいて、音出力部１０１ａから出力される音の音量を抑制する。
【００４８】
よって、スマートフォン１は、外部インターフェイス１４がテレビ１０１に接続されている状態において、着信を受け付けた場合、テレビ１０１において設定されているボリュームレベルに応じて、音出力部１０１ａから出力される音が抑制されるので、報知部２２の報知を聞き逃さず、着信したことを確実にユーザに気付かせることができる。また、スマートフォン１は、着信後の通話中においても、音出力部１０１ａから出力される音が抑制され続けるので、良好に通話をすることができる。
【００４９】
スマートフォン１は、図３に示すように、集音部２４を備える構成でもよい。
制御部２３は、集音部２４を用いて集音した音の音量が所定の閾値以上の場合には、音出力部１０１ａから出力される音の音量を抑制するように制御する。所定の閾値とは、報知部２２による報知及び通話の妨げにならない程度の値であって、予め設定されているものである。また、所定の値は、ユーザが変更できてもよい。
【００５０】
集音部２４とは、マイクのことである。また、図４では、集音部２４の配置場所は、スマートフォン１のフロントフェイス１Ａの下方の中央になっているが、これは一例であって、この場所に限定されない。
【００５１】
集音部２４は、常時駆動する構成でもよいし、着信があったタイミングで駆動する構成でもよいし、ポーリングにより定められたタイミングで駆動する構成でもよい。
【００５２】
よって、スマートフォン１は、外部インターフェイス１４がテレビ１０１に接続されている状態において、着信を受け付けた場合、集音部２４で集音した音量が所定の閾値以上の場合には、音出力部１０１ａから出力される音が抑制されるので、報知部２２の報知を聞き逃さず、着信したことを確実にユーザに気付かせることができる。また、スマートフォン１は、着信後の通話中においても、音出力部１０１ａから出力される音が抑制され続けるので、良好に通話をすることができる。
【００５３】
制御部２３は、着信に応じて通話が行われ、当該通話が終了した場合には、抑制していた音量を元の音量に戻すように制御する構成でもよい。
例えば、制御部２３は、音出力部１０１ａからの出力をミュートにするように制御をしていた場合には、通話の終了を検出したタイミングで、ミュートを解除する信号をテレビ１０１に送信する。テレビ１０１は、ミュートを解除する信号を受信した場合には、ミュートを解除し、音出力部１０１ａから音の出力を再開する。
【００５４】
また、制御部２３は、音量を３ｄＢ減衰させるように制御をしていた場合には、通話の終了を検出したタイミングで、音量を３ｄＢ増加させる信号をテレビ１０１に送信する。テレビ１０１は、音量を増加させる信号を受信した場合には、音量を増加、すなわち、元の音量に戻す制御を行う。
【００５５】
よって、スマートフォン１は、外部インターフェイス１４がテレビ１０１に接続されている状態において、着信を受け付けた場合、テレビ１０１の音量が抑制されるので、良好に通話をすることができ、通話終了後には、抑制されていたテレビ１０１の音量が元に戻るので、テレビ１０１による視聴を楽しませることができる。
【００５６】
＜第２実施例＞
スマートフォン１は、図３に示すように、外部インターフェイス１４と、通信部２１と、報知部２２と、制御部２３と、を備える。
外部インターフェイス１４は、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００５７】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００５８】
通信部２１は、２Ｇ、３Ｇ、４Ｇ等のセルラーフォンの通信規格に対応している。セルラーフォンの通信規格としては、ＬＴＥ（Ｌｏｎｇ  Ｔｅｒｍ  Ｅｖｏｌｕｔｉｏｎ）（登録商標）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）（登録商標）等がある。
【００５９】
報知部２２は、着信等のイベントが発生したことを外部に報知する構成要素であって、例えば、着信音を出力するスピーカ、振動を伝えるバイブレータ、発光する発光部等が考えられる。
【００６０】
制御部２３は、外部インターフェイス１４がテレビ１０１に接続されている状態において、着信があると、テレビ１０１に備えられている音出力部１０１ａから出力される音情報を取得し、当該音情報に基づいて音出力部１０１ａから出力される音の音量が所定の閾値以下になる部分をサーチし、着信に係る報知を当該部分で報知部２２により行うように制御する。
【００６１】
音情報とは、音出力部１０１ａから空間に出力された後の音の波形（音波）を意味するものとして説明するが、これに限られず、例えば、音出力部１０１ａから空間に出力される前の音信号（電気信号）であってもよい。音信号が電気信号である場合は、例えば、制御部２３は、外部インターフェイス１４を介して、テレビ１０１に備えられている音出力部１０１ａから出力される音情報を取得する。
【００６２】
例えば、制御部２３は、図６に示すように、取得した音情報を解析し、所定の閾値（図６中のｔｈ）以下の部分（図中のｔ１〜ｔ２、及びｔ３〜ｔ４）をサーチし、当該部分で報知を行う。
【００６３】
このようにして、スマートフォン１は、報知部２２の報知を聞き逃さず、着信したことを確実にユーザに気付かせることができる。
なお、スマートフォン１は、着信に応じた通話が開始された場合、音出力部１０１ａから出力される音の音量を抑制するように制御してもよい。このような構成では、スマートフォン１は、通話中において、良好に通話をすることができる。
また、スマートフォン１は、通話終了後には、抑制されていたテレビ１０１の音量を元に戻す構成でもよい。このような構成では、スマートフォン１は、継続してテレビ１０１による視聴を楽しませることができる。
【００６４】
スマートフォン１は、図３に示すように、集音部２４を備える構成でもよい。
制御部２３は、集音部２４を用いて音情報を取得する。
制御部２３は、外部インターフェイス１４がテレビ１０１に接続されている状態において、着信があったときに、集音部２４を用いて音情報を取得し、当該音情報に基づいて音出力部１０１ａから出力される音の音量が所定の閾値以下になる部分をサーチし、着信に係る報知を当該部分で報知部２２により行うように制御する。
【００６５】
このようにして、スマートフォン１は、報知部２２の報知を聞き逃さず、着信したことを確実にユーザに気付かせることができる。
【００６６】
制御部２３は、外部インターフェイス１４が外部機器に接続されている状態において、着信があると、テレビ１０１において受信した放送波に含まれている音情報を外部インターフェイス１４を介して取得し、当該音情報に基づいて音出力部１０１ａから出力される音の音量が所定の閾値以下になる部分をサーチし、着信に係る報知を当該部分で報知部２２により行うように制御する構成でもよい。放送波に含まれている音情報とは、音出力部１０１ａから空間に出力される前の音信号（電気信号）のことである。
【００６７】
テレビ１０１は、受信したデジタル放送波を映像信号と音信号に分離し、それぞれをデコード処理して、映像をディスプレイに出力し、音を音出力部１０１ａから出力する。
【００６８】
制御部２３は、音出力部１０１ａから空間に出力される前の音信号を音情報として取得し、予め、音出力部１０１ａから出力される音の音量が所定の閾値以下になる部分をサーチする。
また、制御部２３は、音出力部１０１ａから空間に出力される前の音信号を音情報として取得し、かつ、テレビ１０１に現在設定されているボリューム（音量）レベルを取得し、取得した音情報とボリュームレベルに基づいて、予め、音出力部１０１ａから出力される音の音量が所定の閾値以下になる部分をサーチする構成でもよい。
【００６９】
このような構成によれば、スマートフォン１は、予め、音出力部１０１ａから出力される音の音量が所定の閾値以下になる部分を把握することができるので、報知部２２による報知のタイミングを正確に行うことができ、着信したことを確実にユーザに気付かせることができる。
【００７０】
スマートフォン１は、図３に示すように、受信部２５と、処理部２６と、を備える構成でもよい。
【００７１】
受信部２５は、４７０ＭＨｚから７７０ＭＨｚの周波数帯の受信を行う機能（いわゆる、地上波デジタル放送の受信機能）を有する。
処理部２６は、ユーザによる所定の操作に応じて、テレビ視聴用のアプリケーションが起動され、所定のチャンネルが指定されたときに、チャンネルと周波数の対応テーブルを参照し、４７０ＭＨｚから７７０ＭＨｚまでの周波数帯の中から、指定されたチャンネルに対応する周波数にチューニングを行う。処理部２６は、チューニングにより受信した信号に対して、復調処理や復号処理等の所定の信号処理を行い、処理後の信号を再生処理し、テレビ視聴用のアプリケーションを利用して再生を行う。
【００７２】
制御部２３は、外部インターフェイス１４がテレビ１０１に接続されている状態において、着信があると、テレビ１０１において視聴されている放送波と同一の放送波を受信部２５により受信する。制御部２３は、受信した放送波に含まれている音情報に基づいてテレビ１０１に備えられている音出力部１０１ａから出力される音の音量が所定の閾値以下になる部分をサーチし、着信に係る報知を当該部分で報知部２２により行うように制御する。
【００７３】
具体的には、制御部２３は、外部インターフェイス１４がテレビ１０１に接続されている状態において、着信があると、テレビ１０１に対して、現在選局中のチャンネル情報を要求する。テレビ１０１は、制御部２３による要求に応じて現在選局中のチャンネル情報を送信する。処理部２６は、テレビ１０１から送信されてきたチャンネル情報に基づいて、同一のチャンネルに対応する周波数にチューニングを行う。処理部２６は、チューニングにより受信した音信号に対して、復調処理や復号処理等の所定の信号処理を行う。
【００７４】
また、制御部２３は、外部インターフェイス１４を介して、テレビ１０１に現在設定されているボリューム（音量）レベルを問い合わせる。
【００７５】
制御部２３は、処理部２６による処理後の音信号と、ボリュームレベルに基づいて、音出力部１０１ａから出力される音の音量が所定の閾値以下になる部分をサーチし、着信に係る報知を当該部分で報知部２２により行うように制御する。
【００７６】
このような構成によれば、スマートフォン１は、音出力部１０１ａから出力される音の音量が所定の閾値以下になる部分を把握することができるので、報知部２２による報知のタイミングを正確に行うことができ、着信したことを確実にユーザに気付かせることができる。
【００７７】
つぎに、スマートフォン１の動作について、図７に示すフローチャートを参照しながら説明する。以下では、外部機器は、テレビ１０１であるとして説明する。
ステップＳＴ１において、制御部２３は、外部インターフェイス１４を介してテレビ１０１が接続されているかどうかを判断する。具体的には、制御部２３は、ＨＤＭＩ規格又はＭＨＬ規格の接続を検出したかどうかによって、外部インターフェイス１４を介してテレビ１０１が接続されているかどうかを判断する。テレビ１０１が接続されていると判断した場合（Ｙｅｓ）には、ステップＳＴ２に進む。テレビ１０１接続されていないと判断した場合（Ｎｏ）には、ステップＳＴ１の工程を繰り返す。
【００７８】
ステップＳＴ２において、制御部２３は、着信を受け付けたかどうかを判断する。着信を受け付けたと判断した場合（Ｙｅｓ）には、ステップＳＴ３に進み、着信を受け付けていないと判断した場合（Ｎｏ）には、本工程を繰り返す。
【００７９】
ステップＳＴ３において、制御部２３は、集音部２４を駆動する。なお、制御部２３は、集音部２４を着信があったタイミングで駆動する構成以外でもよく、常時駆動する構成でもよいし、ポーリングにより定められたタイミングで駆動する構成でもよい。
【００８０】
ステップＳＴ４において、制御部２３は、集音部２４を用いて集音した音の音量が所定の閾値以下かどうかを判断する。音量が所定の閾値以下であると判断した場合（Ｙｅｓ）には、ステップＳＴ５に進み、音量が所定の閾値以下ではないと判断した場合（Ｎｏ）には、本工程を繰り返す。
【００８１】
ステップＳＴ５において、制御部２３は、報知部２２により着信したことを報知するように制御する。
ステップＳＴ６において、制御部２３は、着信に応じた通話が行われているかどうかを判断する。通話が行われていると判断した場合（Ｙｅｓ）には、ステップＳＴ７に進み、通話が行われていないと判断した場合（Ｎｏ）には、ステップＳＴ２の工程に戻る。
【００８２】
ステップＳＴ７において、制御部２３は、音出力部１０１ａから出力される音の音量を抑制するように制御する。例えば、制御部２３は、テレビ１０１のボリュームをミュート又は減衰するように制御する。
【００８３】
ステップＳＴ８において、制御部２３は、通話が終了したかどうかを判断する。通話が終了したと判断した場合（Ｙｅｓ）には、ステップＳＴ９に進み、通話が終了していないと判断した場合（Ｎｏ）には、本工程を繰り返す。
【００８４】
ステップＳＴ９において、制御部２３は、ステップＳＴ７の工程で抑制した制御を解除して、ステップＳＴ２の工程に戻る。
【００８５】
このようにして、スマートフォン１は、報知部２２の報知を聞き逃さず、着信したことを確実にユーザに気付かせることができ、通話中において、良好に通話をすることができ、通話終了後は、継続してテレビ１０１による視聴を楽しませることができる。
【００８６】
なお、本実施例では、外部機器をテレビ１０１であるものとして説明したが、着信を報知できる構成であればよく、これに限られない。例えば、外部機器は、ステレオコンポーネント、ＰＣ等が考えられる。
また、本実施例では、着信は、電話による着信を想定して説明したが、これに限られず、例えば、メールによる着信等でもよい。
【００８７】
また、本実施例では、着信時の動作について説明したがこれに限られず、発信時に、音出力部１０１ａから出力される音の音量を抑制するように動作してもよい。
具体的には、スマートフォン１は、外部インターフェイス１４を利用して外部機器と接続されている状態において、加速度検出部により動きを検出した場合、又は発信の操作が行われたときに、音出力部１０１ａから出力される音の音量を抑制するように制御する。
【００８８】
また、本実施例では、主にスマートフォンの構成と動作について説明したが、これに限られず、各構成要素を備え、外部インターフェイス１４を利用して外部機器と接続されている状態において、着信したことを確実に気付かせるように制御する制御方法、及びプログラムとして構成されてもよい。
【００８９】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００９０】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９１】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００９２】
また、本実施例では、外部インターフェイス１４は、他の装置が接続される端子であるとして説明したが、本発明はこれに限定されず、外部インターフェイスは、ブルートゥース（登録商標）、ＷｉＦｉ（登録商標）等の無線通信規格に準拠する無線インターフェイスであってもよい。したがって、本願発明の電子機器は、外部機器と無線通信規格に準拠する無線通信により通信可能に接続されていてもよい。また、外部機器のインターフェイス２０２も同様に、無線インターフェイスであってもよい。
【００９３】
また、本実施例では、制御部は、外部インターフェイスがテレビに接続されている状態において、着信があると、テレビに備えられている音出力部から出力される音情報を取得し、当該音情報に基づいて音出力部から出力される音の音量が所定の閾値以下になる部分をサーチし、着信に係る報知を当該部分で報知部により行うように制御するが、制御部は、着信に係る報知を、音出力部から出力される音の音量が所定の閾値以下になる部分の全部分で行ってもよいし、当該部分の一部分で行ってもよい。
【符号の説明】
【００９４】
１  スマートフォン
２Ａ  ディスプレイ
１４  外部インターフェイス
２１  通信部
２２  報知部
２３  制御部
２４  集音部
２５  受信部
２６  処理部
【図１】
2014090263.tif 000003
【図２】
2014090263.tif 000004
【図３】
2014090263.tif 000005
【図４】
2014090263.tif 000006
【図５】
2014090263.tif 000007
【図６】
2014090263.tif 000008
【図７】
2014090263.tif 000009